(57)【要約】    【課題】  カメラヘッドとカメラコントロール部が分離する構成をもつテレビジョンカメラ装置において、カメラコントロール部の小形化を可能にするテレビジョンカメラ装置を提供する。    【解決手段】  カメラコントロール部の信号出力端子の前段に、カメラヘッドから伝送された映像信号を各種フォーマットの変換した信号を入力し、これから１つの信号を選択する信号選択手段と、この信号選択手段が選択する信号を決める制御手段と、この制御手段に外部から制御情報を入力するためのフォーマット選択入力手段を有することを特徴とする。【選択図】  図１
2005101700.tif 000002
【特許請求の範囲】
【請求項１】
カメラヘッドとカメラコントロール部が分離する構成をもち、前記カメラコントロール部から各種フォーマットの映像信号を出力することが可能なテレビジョンカメラ装置において、前記カメラコントロール部の信号出力端子の前段に、前記カメラヘッドから伝送された映像信号を各種フォーマットに変換した信号を入力し、これから１つの信号を選択する信号選択手段と、この信号選択手段が選択する信号を決める制御手段と、この制御手段に外部から制御情報を入力するためのフォーマット選択入力手段を有することを特徴とするテレビジョンカメラ装置。
【発明の詳細な説明】
【技術分野】
【０００１】
本発明は、カメラヘッドとカメラコントロール部（以下ＣＣＵという）が分離する構成をもち、カメラコントロール部から各種フォーマットの映像信号を出力することが可能なテレビジョンカメラ装置に関する。
【背景技術】
【０００２】
近年、取材用等の目的で使用する可搬形のカメラを別にした、スタジオ・中継用放送用テレビジョンカメラ装置は、ＨＤＴＶ（高精細テレビ）信号とＳＤＴＶ（標準精細テレビ：現行方式）信号が同時に出力できるマルチスタンダードカメラが主流になってきている。
【０００３】
このようなテレビジョンカメラ装置は、一般に、図３に示すように、カメラヘッド１とＣＣＵ２が分離し、カメラヘッド１とＣＣＵ２がケーブル３で接続してなり、カメラヘッド１はＨＤＴＶカメラとして動作し、ＣＣＵ２でこの信号をＳＤＴＶ信号に変換したり、各種フォーマットのＨＤＴＶ信号、ＳＤＴＶ信号に変換して出力する方式がとられている（文献公知発明に係るものではない）。
【発明の開示】
【発明が解決しようとする課題】
【０００４】
このようなマルチフォーマットテレビジョンカメラ装置の出力としては、各種フォーマットの出力信号を出力する必要があり、そのために、装置に取り付ける映像信号出力端子の数が非常に多くなる傾向がある。
【０００５】
通常このような映像信号出力端子には、ＢＮＣコネクタ（Ｂａｙｏｎｅｔ  Ｎｅｉｌ−Ｃｏｎｃｅｌｍａｎ  Ｃｏｎｎｅｃｔｏｒ：１０ＢＡＳＥ−２用の同軸ケーブルの端に取り付けるコネクタ）が用いられる。
【０００６】
図３に例を説明すると、ＣＣＵ２の背面には、信号入出力端子を構成する多くのＢＮＣコネクタ２１を取り付ける必要があり、さらにこの他に、カメラケーブルコネクタ２２、および電源コネクタ、データ通信コネクタ等の各種コネクタ２３も取り付ける必要がある。
【０００７】
このため、マルチスタンダードカメラのように多種フォーマットの映像信号出力が存在するテレビジョンカメラ装置では、映像信号出力端子を構成するＢＮＣコネクタを、フォーマットの数だけ取り付ける必要があるため、ＣＣＵの背面の大きさが大きく、それにともないＣＣＵ全体の大きさが大きく、小形化が困難という課題がある。
【０００８】
本発明の目的は、カメラヘッドとカメラコントロール部が分離する構成をもつテレビジョンカメラ装置において、カメラコントロール部の小形化を可能にするテレビジョンカメラ装置を提供することにある。
【課題を解決するための手段】
【０００９】
上記目的を達成するため、本発明は、カメラヘッドとカメラコントロール部が分離する構成をもち、前記カメラコントロール部から各種フォーマットの映像信号を出力することが可能なテレビジョンカメラ装置において、前記カメラコントロール部の信号出力端子の前段に、前記カメラヘッドから伝送された映像信号を各種フォーマットに変換した信号を入力し、これから１つの信号を選択する信号選択手段と、この信号選択手段が選択する信号を決める制御手段と、この制御手段に外部から制御情報を入力するためのフォーマット選択入力手段を有することを特徴とする。
【発明の効果】
【００１０】
本発明によれば、カメラヘッドとカメラコントロール部が分離する構成をもつテレビジョンカメラ装置において、カメラコントロール部の小形化を可能にするテレビジョンカメラ装置を得ることができる。
【発明を実施するための最良の形態】
【００１１】
図１は、本発明によるテレビジョンカメラ装置の第１の実施の形態であって、主要部のカメラコントロール部（以下ＣＣＵという）の構成を示す図である。
【００１２】
以下、図１について説明する。
【００１３】
カメラヘッドから伝送された映像信号１１は、フォーマット変換回路１２−１，１２−２，‥，１２−ｍで、Ｄ１，Ｄ２デジタル信号、‥、ＮＴＳＣ／ＰＡＬアナログ信号等の各種フォーマット信号に変換される。
【００１４】
このように各種フォーマットされた信号は、信号出力端子１４−１，１４−２，‥，１４−ｎに各々対応する信号選択回路１３−１，１３−２，‥，１３−ｎで択一され、出力信号となる。
【００１５】
この信号選択回路１３−１，１３−２，‥，１３−ｎで，どのフォーマットの信号を選択するかは、選択回路制御手段１６によって決められ、この選択回路制御手段１６は、フォーマット選択入力手段１５で外部から入力されるフォーマット選択するための制御情報により制御される。
【００１６】
図４は、本発明によるテレビジョンカメラ装置の第１の実施の形態であって、主要部のカメラコントロール部の背面にある信号入出力端子などの配置例を示す図である。
【００１７】
図４において、信号入出力端子を構成する多くのＢＮＣコネクタ２１の内の、信号出力端子を構成するＢＮＣコネクタ２１は、一つのフォーマットに対応する信号出力端子の数（例えば、ライン出力端子、ＶＴＲ出力端子、モニター用出力端子、波形測定用端子など）である。
【００１８】
本発明の実施の形態を用いると、システム環境により決まるフォーマットの各種映像信号の出力端子を、一つのフォーマットに対応する信号出力端子の数にすることができ、したがってＣＣＵの必要な信号出力端子の数を減らすことができ、ＣＣＵの小形化が可能になる。
【００１９】
図２は、本発明によるテレビジョンカメラ装置の第２の実施の形態であって、主要部のカメラコントロール部の構成を示す図である。第１の実施の形態との差は、選択回路制御手段１６によって制御される映像信号出力信号のフォーマット表示手段１７を有する点にある。この手段はＬＥＤ、電子ペーパー等を用いることにより実現できる。
【００２０】
図５は、本発明によるテレビジョンカメラ装置の第２の実施の形態であって、主要部のカメラコントロール部の背面にある信号入出力端子、フォーマット表示手段などの配置例を示す図である。
【００２１】
図５において、フォーマット表示手段１７は、ＢＮＣコネクタ２１とともにＣＣＵ２の背面に取り付けられている。
【００２２】
本実施の形態を用いると、信号出力端子１４−１，１４−２，‥，１４−ｎから出力されている信号のフォーマットが容易に分かり、使い勝手の向上がはかれる。
【図面の簡単な説明】
【００２３】
【図１】本発明によるテレビジョンカメラ装置の第１の実施の形態であって、主要部のカメラコントロール部の構成を示す図である。
【図２】本発明によるテレビジョンカメラ装置の第２の実施の形態であって、主要部のカメラコントロール部の構成を示す図である。
【図３】カメラヘッドとカメラコントロール部が分離したタイプのテレビジョンカメラ装置の構成を示す図である。
【図４】本発明によるテレビジョンカメラ装置の第１の実施の形態であって、主要部のカメラコントロール部の背面にある信号入出力端子などの配置例を示す図である。
【図５】本発明によるテレビジョンカメラ装置の第２の実施の形態であって、主要部のカメラコントロール部の背面にある信号入出力端子、フォーマット表示手段などの配置例を示す図である。
【符号の説明】
【００２４】
１：カメラヘッド、２：カメラコントロール部（ＣＣＵ）、３：ケーブル、１１：映像信号、１２−１，１２−２，‥，１２−ｍ：フォーマット変換回路、１３−１，１３−２，‥，１３−ｎ：信号選択回路、１４−１，１４−２，‥，１４−ｎ：信号出力端子、１５：フォーマット選択入力手段、１６：選択回路制御手段、１７：フォーマット表示手段、２１：ＢＮＣコネクタ、２２：カメラケーブルコネクタ、２３：各種コネクタ。
【図１】
2005101700.tif 000003
【図２】
2005101700.tif 000004
【図３】
2005101700.tif 000005
【図４】
2005101700.tif 000006
【図５】
2005101700.tif 000007